(57)【要約】【課題】紐先カバーが紐体の端部から外れるおそれの少ない等の紐部材を提供する。【解決手段】紐体２と、柔軟性を有する合成樹脂製の紐先カバー３とを備える。紐体２は、その両端部に、押し固め部２１を備える。また、押し固め部２１には、複数の第１凸部２２ａと複数の第２凸部２２ｂとが設けられている。紐先カバー３は、モールド成形によって押し固め部２１を囲むように配設されている。【選択図】図１
0003186529.tif 000002
【実用新案登録請求の範囲】
【請求項１】
複数の合成繊維糸が編まれて形成された紐体と、前記紐体の端部に装着された柔軟性を有する合成樹脂製の紐先カバーとを備えた紐部材であって、
前記紐体は、前記端部に、断面積が小さくなるように押し固め形成された押し固め部を備え、
前記押し固め部は、前記紐体の端部が加熱されて溶かし固められるように形成され、
前記紐先カバーは、モールド成形によって前記押し固め部の外周を囲むように配設されていることを特徴とする紐部材。
【請求項２】
前記押し固め部の外周は、凹凸状に形成されていることを特徴とする請求項１記載の紐部材。
【請求項３】
前記押し固め部の外周に、前記押し固め部の長手方向に沿って形成された複数の凸部が設けられ、
前記凸部は、前記押し固め部の前記長手方向に所定の間隔を持って並列された複数の第１凸部と、前記第１凸部と前記押し固め部を挟んで反対側に、前記長手方向に所定の間隔を持って並列された複数の第２凸部とを備え、
前記第１凸部は、それぞれ、前記互いに隣接する２つの第２凸部の前記長手方向における間に位置するように配設されていることを特徴とする請求項１又は２記載の紐部材。
【請求項４】
前記紐先カバーは、ウレタン樹脂からなることを特徴とする請求項１〜３の何れか一項に記載の紐部材。
【考案の詳細な説明】
【技術分野】
【０００１】
本考案は、靴紐として用いられ、或いは、上着やズボン等の衣服等に用いられる紐部材に関するものである。
【背景技術】
【０００２】
従来から、靴紐として用いられ、或いは、上着やズボン等の被服等に用いられる紐部材は、広く知られている。例えば特許文献１には、前記紐部材における紐先に装着する紐先カバーが開示されている。この特許文献１に開示の紐先カバーは、柔軟性を有する合成樹脂やゴム等の材料から構成され、貫通孔を有するものである。そして、この特許文献１では、貫通孔が押し広げられて貫通孔内に紐体の端部が入れられ、これにより、紐先カバーが有する弾性力によって紐先カバーが紐体の端部を外周側から径方向内側に押圧し、紐先カバーが紐体の端部に装着される。
【先行技術文献】
【特許文献】
【０００３】
【特許文献１】特開２００３−１６４３６８号公報
【考案の概要】
【考案が解決しようとする課題】
【０００４】
しかしながら、特許文献１のように、貫通孔内に紐体の端部を入れて紐先カバーの弾性力によって紐体の端部を押圧しても、例えば紐体が複数の合成繊維糸を編んで形成されているような場合には紐体の端部が空隙を有しているため、紐体の端部を十分に押圧できず、その結果、例えば使用中に紐先カバーが紐体の端部から外れるおそれがある。
【０００５】
又、特許文献１に開示の紐先カバーは、貫通孔を有するため、紐体の端部に装着された状態で、紐体の端部と反対側の端面に貫通孔が表れてしまい、外観が損なわれてしまっている。更には、貫通孔内に紐体の端部を入れる作業が難しく、装着作業に時間を要してしまう。
【０００６】
本考案は、紐先カバーが紐体の端部から外れるおそれの少ない等の紐部材を提供することを目的としている。
【課題を解決するための手段】
【０００７】
上記課題を解決するために、本考案は、複数の合成繊維糸が編まれて形成された紐体と、前記紐体の端部に装着された柔軟性を有する合成樹脂製の紐先カバーとを備えた紐部材であって、前記紐体は、前記端部に、断面積が小さくなるように押し固め形成された押し固め部を備え、前記押し固め部は、前記紐体の端部が加熱されて溶かし固められるように形成され、前記紐先カバーは、モールド成形によって前記押し固め部の外周を囲むように配設されていることを特徴とする紐部材を提供する。ここに、モールド成形とは、樹脂成形体（紐先カバー）を配置したい箇所に金型をセットして、その金型内部に樹脂を注入して、注入した樹脂を硬化させて樹脂成形することをいう。
【０００８】
この構成によれば、押し固め部は、断面積が小さくなるように押し固め形成されているとともに、その押し固め部を囲むように紐先カバーがモールド成形によって配設されているため、押し固め部の内部及び押し固め部と紐先カバーとの間にほとんど空隙ができない状態にできる。これにより、紐先カバーが押し固め部から外れ難いものにできる。
【０００９】
又、その際、押し固め部は、紐体の端部が加熱されて溶かし固められるように形成されているため、押し固め部を容易に形成できる。
【００１０】
又、紐先カバーは、モールド成形によって押し固め部に配設されているため、紐先カバーを押し固め部に容易に装着でき、装着作業を容易に行うことができる。しかも、従来のように紐先カバーに貫通孔を設けずに済み、紐先カバーの端面に貫通孔が表れてしまい外観が損なわれるようなことを防止できる。
【００１１】
又、紐先カバーは、柔軟性を有する合成樹脂製であるため、紐先カバーが、例えば身体に当たった場合に、身体を傷めるようなことを防止できる。
【００１２】
前記紐部材において、前記押し固め部の外周は、凹凸状に形成されている構成とすることが好ましい。
【００１３】
この構成によれば、凹凸によって、紐先カバーと押し固め部とが引き離される際の抵抗が増大し、紐先カバーが押し固め部から、より外れ難くできる。
【００１４】
前記紐部材において、前記押し固め部の外周に、前記押し固め部の長手方向に沿って形成された複数の凸部が設けられ、前記凸部は、前記押し固め部の前記長手方向に所定の間隔を持って並列された複数の第１凸部と、前記第１凸部と前記押し固め部を挟んで反対側に、前記長手方向に所定の間隔を持って並列された複数の第２凸部とを備え、前記第１凸部は、それぞれ、前記互いに隣接する２つの第２凸部の前記長手方向における間に位置するように配設されている構成とすることが好ましい。
【００１５】
この構成によれば、紐先カバーを押し固め部に、より強固に連結でき、紐先カバーを押し固め部から、より一層、外れ難くできる。
【００１６】
前記紐部材において、前記紐先カバーは、ウレタン樹脂からなる構成とすることが好ましい。
【００１７】
この構成によれば、紐先カバーがウレタン樹脂からなるため、紐先カバーが身体に当たった場合に、より確実に、身体を傷めるようなことを防止できる。
【考案の効果】
【００１８】
本考案の紐部材は、紐先カバーが紐体の端部から外れるおそれの少ない等のものにできる。
【図面の簡単な説明】
【００１９】
【図１】本考案の一実施の形態の紐部材の一部を省略した正面図である。
【図２】図１のＩＩ−ＩＩ線拡大断面図である。
【図３】図１のＩＩＩ−ＩＩＩ線拡大断面図である。
【図４】図１の紐部材の紐体の端部の要部拡大正面図である。
【図５】（ａ）は、紐先カバーをモールド成形する際の説明図、（ｂ）は、図５（ａ）のＶ−Ｖ線拡大断面図である。
【考案を実施するための形態】
【００２０】
以下、本考案を実施するための形態について、図面を参照しながら詳細に説明する。図１は、本考案の一実施の形態の紐部材の一部を省略した正面図、図２は、図１のＩＩ−ＩＩ線拡大断面図、図３は、図１のＩＩＩ―ＩＩＩ線拡大断面図である。
【００２１】
この実施形態の紐部材１は、紐体２と、紐体２の両端部のそれぞれに配設された紐先カバー３とを備えている。
【００２２】
紐体２は、この実施形態では、ポリエステル等の合成樹脂から構成された複数の合成繊維糸が紐体２の長手方向の一端から他端側に順次に筒状に編まれるようにして折り曲げ自在なものに形成されている。
【００２３】
また、紐体２は、両端部のそれぞれに、図４に示すように断面積を小さくするように押し固め形成された所定長さの押し固め部２１を備えている。
【００２４】
又、この実施形態では、押し固め部２１それぞれの外周に、複数（この実施形態では、各押し固め部２１に５つ）の凸部２２ａ、２２ｂを備えており、それらの凸部２２ａ、２２ｂによって押し固め部２１の外周が凹凸状に形成されている。
【００２５】
凸部は、各押し固め部２１の外周における上部側に配設された複数（この実施形態では２つ）の第１凸部２２ａと、第１凸部２２ａと押し固め部２１を挟んで反対側の下部側に配設された複数（この実施形態では３つ）の第２凸部２２ｂとを備えている。
【００２６】
各第１凸部２２ａは、押し固め部２１の外周から上方側（外周側）に突出するように形成されている。そして、第１凸部２２ａは、押し固め部２１の長手方向（図の左右方向）に所定の間隔を持って１列に並べられるように形成されている。
【００２７】
各第２凸部２２ｂは、押し固め部２１の外周から下方側（外周側）に突出するように形成されている。そして、第２凸部２２ｂは、各押し固め部２１の長手方向に所定の間隔を持って１列に並べられるように形成されている。
【００２８】
又、第１凸部２２ａは、それぞれ、互いに隣接する２つの第２凸部２２ｂの長手方向における間に位置するように配設されている。尚、第１凸部２２ａ及び第２凸部２２ｂの数量は、上記の形態のものに限らず、例えば第１凸部２２ａと第２凸部２２ｂとの何れか一方又は両方が少なくとも１つ有する形態のものであればよく、適宜変更できる。
【００２９】
これらの押し固め部２１及び凸部２２ａ、２２ｂは、この実施形態では、次のようにして形成されている。
【００３０】
まず、紐体２の端部を、紐体２を構成した複数の合成繊維糸が軟化して溶かし固められる程度に加熱手段によって加熱する。この加熱手段は、この実施形態では、紐体２の端部に超音波振動を与えその振動に伴う摩擦熱によって紐体２の端部を加熱する超音波加熱手段が用いられている。
【００３１】
そして、その加熱状態で、例えば図示しない凸部形成用凹部を有する押圧治具を用いて紐体２の端部の全体を圧縮するように押圧する。これにより、押し固め部２１と凸部２２ａ、２２ｂとが同時に形成される。尚、加熱手段は、超音波加熱手段に限らず、適宜変更できる。例えば加熱手段は、高周波を用いて加熱する方法、或いは、その他の加熱方法で加熱してもよい。
【００３２】
このようにして形成された押し固め部２１は、図３に示すように厚さｔ１及び上下の幅Ｌ１が、図２に示す押圧されていない中間部２０ａの厚さｔ２、上下の幅Ｌ２のそれぞれよりも小さくなって、ほとんど空隙のない状態になっている。又、加熱状態から冷却されて常温になった状態の押し固め部２１は、中間部２０ａに較べて硬くなって折り曲げ難い状態になっている。又、凸部２２ａ、２２ｂは、押し固め部２１と略同硬さになって変形し難い状態になっている。
【００３３】
紐先カバー３は、柔軟性を有する合成樹脂から構成されている。この実施形態では、紐先カバー３は、ＴＰＵ（熱可塑性ポリウレタン）から構成されている。尚、紐先カバー３は、ＴＰＵから構成される形態のものに限らず、柔軟性を有する素材から構成されればよく、例えばウレタン系樹脂、或いはシリコーン樹脂（シリコーンを主成分とする合成樹脂）のうちゴム状のものであるシリコーンゴム等から構成してもよく、適宜変更できる。
【００３４】
この紐先カバー３は、この実施形態では、外周形状が略円形状を呈している。そして、この紐先カバー３は、金型を用いて行うモールド成形によって、紐体２の押し固め部２１に装着されている。
【００３５】
詳しくは、図５に示すように金型４は、固定側成形部４１ａを有する固定側金型４１と、可動側成形部４１ｂを有する可動側金型４２とを備えている。そして、固定側成形部４１ａと可動側成形部４１ｂとが対向するようにして固定側金型４１と可動側金型４２とが合わされることにより、固定側成形部４１ａと可動側成形部４１ｂとで紐先カバー成形部４２ｃが形成されるようになっている。
【００３６】
尚、図５では、２つの紐先カバー成形部４２ｃを有する２個取りの金型４を例示しているが、紐先カバー成形部４２ｃを１つ又は３つ以上、有するものでもよく、適宜変更できる。
【００３７】
そして、この紐先カバー成形部４２ｃ内に紐体２の押し固め部２１が配設される。そして、その状態で、紐先カバー３を構成するＴＰＵ３ａが溶融状態で紐先カバー成形部４２ｃに注入される。これにより、押し固め部２１の外周の全周に、押し固め部２１の外周を囲むように溶融状態のＴＰＵ３ａが配設される。
【００３８】
そして、紐先カバー成形部４２ｃ内のＴＰＵ３ａが冷却固化することにより、押し固め部２１の外周の全周を被覆して押し固め部２１に装着された紐先カバー３が成形される。その後、可動側金型４２と固定側金型４１とが開いて、紐体２の押し固め部２１に装着された紐先カバー３が取り出される。
【００３９】
このようにして、紐先カバー３が紐体２の押し固め部２１に装着されることにより、押し固め部２１の内部、及び押し固め部２１と紐先カバー３との間にほとんど空隙がない状態になっているため、紐先カバー３が押し固め部２１から外れ難い。
【００４０】
又、押し固め部２１には、複数の凸部２２ａ、２２ｂが設けられているため、これらの凸部２２ａ、２２ｂによって紐先カバー３と押し固め部２１とが引き離される際の抵抗が増大し、紐先カバー３が押し固め部２１から、より一層確実に、外れ難くなっている。
【００４１】
従って、例えば使用中に紐先カバー３が押し固め部２１から外れるようなことを確実に防止できる。
【００４２】
又、押し固め部２１が配設された紐先カバー成形部４２ｃに、紐先カバー３を構成するＴＰＵ３ａが溶融状態で注入されるようにして、紐先カバー３がモールド成形されるため、従来品のように貫通孔を設けずに済み、紐先カバー３における紐体２と反対側の端面に貫通孔が表れることがなく、外観が損なわれるようなことを防止できる。しかも、従来品のように貫通孔を押し広げて紐体２の端部を入れる装着作業を行わずに済み、容易に装着できる。
【００４３】
尚、上記実施形態では、押し固め部２１の外周に、複数の凸部２２ａ、２２ｂが設けられることによって押し固め部２１の外周が凹凸状に形成されたが、この形態のものに限らず、適宜変更できる。例えば押し固め部２１の外周に、１つ又は複数の凹部を形成し、或いは、凸部と凹部とを形成することによって押し固め部２１の外周が凹凸状に形成されてもよい。押し固め部２１の外周は、凹凸を有しない形態のものでもよい。
【００４４】
又、複数の凸部２２ａ、２２ｂを設ける場合において、上記実施形態では、第１凸部２２ａは押し固め部２１を挟んで第２凸部２２ｂと反対側に配設される形態のものに限らず、適宜変更できる。例えば複数の凸部の内の何れか２つが、互いに周方向に距離を隔てるように配設されるようにしてもよく、このように構成しても、紐先カバー３を押し固め部２１から、より外れ難くできる。
【００４５】
又、上記実施形態では、紐体の両端部に、紐先カバーが配設されたが、この形態のものに限らず、紐体の何れか一方の端部に紐先カバーが配設されればよく、適宜変更できる。
【符号の説明】
【００４６】
１    紐部材
２    紐体
３    紐先カバー
２２ａ    第１凸部
２２ｂ    第２凸部
【図１】
0003186529.tif 000003
【図２】
0003186529.tif 000004
【図３】
0003186529.tif 000005
【図４】
0003186529.tif 000006
【図５】
0003186529.tif 000007